(57)【要約】【課題】ドライブレコーダにより取得した動画を含む画像データから所望の静止画を提供する。【解決手段】ユーザに対して所望の静止画を提供する画像提供システムは、乗物内からみた動画を含む画像データを得るドライブレコーダ１１と、画像を表示するモニタ１２ａと、前記ユーザによる入力情報を入力する入力部１２ｂとを有する携帯端末１２と、プリントサーバ２０とを備えている。前記プリントサーバ２０は、前記ドライブレコーダ１１からの画像データを記憶する記憶部２２と、前記記憶部２２内の画像データのうち動画から静止画の生成画像を作製して前記記憶部２２に格納する画像生成部２３と、前記携帯端末１２の入力部１２ｂからの入力情報に基づいて、前記記憶部２２内の生成画像を前記モニタ１２ａに送る生成画像提供部２４とを有する。【選択図】図１
2020092392.tif 000002
【特許請求の範囲】
【請求項１】
ユーザに対して所望の静止画を提供する画像提供システムにおいて、
乗物内からみた動画を含む画像データを得るドライブレコーダと、
画像を表示するモニタと、前記ユーザによる入力情報を入力する入力部とを有する携帯端末と、
プリントサーバとを備え、
前記プリントサーバは、前記ドライブレコーダから受信した画像データを記憶する記憶部と、
前記記憶部内の画像データのうち、動画から静止画の生成画像を作製して前記記憶部に格納する画像生成部と、
前記携帯端末の入力部からの入力情報に基づいて、前記記憶部内の生成画像を前記携帯端末に送る生成画像提供部とを有する、画像提供システム。
【請求項２】
前記プリントサーバは、前記入力部からの入力情報に基づいて、前記記憶部内の生成画像からプリントすべき生成画像を選定するプリント選定部を更に有する、請求項１記載の画像提供システム。
【請求項３】
前記プリントサーバは、前記プリント選定部で選定された生成画像のプリントコードを前記携帯端末に送るプリントコード提供部を更に有する、請求項２記載の画像提供システム。
【請求項４】
前記携帯端末から送られるプリントコードを受信してプリント印刷物を作製するプリンタ装置が設けられている、請求項３記載の画像提供システム。
【請求項５】
前記プリントサーバに、前記画像生成部で生成された生成画像について画像データの評価を行い、上位の生成画像を選別する画像解析サーバが接続されている、請求項１乃至４のいずれか記載の画像提供システム。
【請求項６】
前記生成画像提供部は、前記画像解析サーバで選別された上位の生成画像のみを前記携帯端末に送る、請求項５記載の画像提供システム。
【発明の詳細な説明】
【技術分野】
【０００１】
本開示の実施の形態は、ドライブレコーダにより取得した画像データからユーザが好む所望の静止画を提供する画像提供システムに関す。
【背景技術】
【０００２】
従来より、乗物の運転中にドライブレコーダにより乗物内からみた風景等の動画を含む画像データが取得される。このドライブレコーダにより取得された画像データは運転記録として保存されるが、このドライブレコーダの画像データを用いて静止画を提供することは行われていない。
【０００３】
他方、運転中に撮影したい風景があっても、運転中に携帯端末を用いて撮影することはできない。
【先行技術文献】
【特許文献】
【０００４】
【特許文献１】特開２０１０−６１５８９号公報
【発明の概要】
【発明が解決しようとする課題】
【０００５】
本開示の実施の形態はこのような点を考慮してなされたものであり、ドライブレコーダにより取得した画像データから、ユーザが好む所望の静止画を提供することができる画像提供システムを提供することを目的とする。
【課題を解決するための手段】
【０００６】
本開示の実施の形態は、ユーザに対して所望の静止画を提供する画像提供システムにおいて、乗物内からみた動画を含む画像データを得るドライブレコーダと、画像を表示するモニタと、前記ユーザによる入力情報を入力する入力部とを有する携帯端末と、プリントサーバとを備え、前記プリントサーバは、前記ドライブレコーダから受信した画像データを記憶する記憶部と、前記記憶部内の画像データのうち、動画から静止画の生成画像を作製して前記記憶部に格納する画像生成部と、前記携帯端末の入力部からの入力情報に基づいて、前記記憶部内の生成画像を前記携帯端末に送る生成画像提供部とを有する、画像提供システムである。
【０００７】
本開示の実施の形態は、前記プリントサーバは、前記入力部からの入力情報に基づいて、前記記憶部内の生成画像からプリントすべき生成画像を選定するプリント選定部を更に有する、画像提供システムである。
【０００８】
本開示の実施の形態は、前記プリントサーバは、前記プリント選定部で選定された生成画像のプリントコードを前記携帯端末に送るプリントコード提供部を更に有する、画像提供システムである。
【０００９】
本開示の実施の形態は、前記携帯端末から送られるプリントコードを受信してプリント印刷物を作製するプリンタ装置が設けられている、画像提供システムである。
【００１０】
本開示の実施の形態は、前記プリントサーバに、前記画像生成部で生成された生成画像について画像データの評価を行い、上位の生成画像を選別する画像解析サーバが接続されている、画像提供システムである。
【００１１】
本開示の実施の形態は、前記生成画像提供部は、前記画像解析サーバで選別された上位の生成画像のみを前記携帯端末に送る、画像提供システムである。
【発明の効果】
【００１２】
本開示の実施の形態によれば、ドライブレコーダにより取得した画像データからユーザが好む所望の静止画を確実に提供することができる。
【図面の簡単な説明】
【００１３】
【図１】図１は本実施の形態に係る画像提供システムのブロック構成図。
【図２】図２は本実施の形態に係る画像提供システムの作用を示すフローチャート。
【図３】図３は本実施の形態に係る撮影システムのドライブレコーダを示す概観図。
【図４Ａ】図４Ａは本実施の形態に係る画像提供システムにおいて、携帯端末の生成画像を表示するモニタを示す図。
【図４Ｂ】図４Ｂは携帯端末のプリントコードを表示するモニタを示す図。
【発明を実施するための形態】
【００１４】
以下、本実施の形態による画像提供システムを図面に基づいて説明する。
【００１５】
本実施の形態による画像提供システムは、ユーザに対し、ドライブレコーダにより取得した画像データからユーザの好みに応じて所望の静止画を提供するものである。
【００１６】
このような画像提供システム１０は、図１乃至図４Ｂに示すように、乗物内からみた動画を含む画像データを得るドライブレコーダ１１（図３参照）と、画像を表示するモニタ１２ａと、ユーザによる入力情報を入力する入力部１２ｂとを有する携帯端末１２（図４Ａおよび図４Ｂ参照）と、これらドライブレコーダ１１および携帯端末１２に接続されたプリントサーバ２０とを備えている。
【００１７】
このうちドライブレコーダ１１は図３に示すように乗物内に設置され、乗物内からみた風景を撮影して、乗物内からみた動画を含む画像データ１１ｃを入手するものである。このようなドライブレコーダ１１は、乗物の外方を向くカメラ（図示せず）と、乗物内側に向くとともに入手した画像データを表示するモニタ１１ａと、乗物内に音声ガイドを流す音声発生部１１ｂとを有する。
【００１８】
また、携帯端末１２は上述のようにモニタ１２ａと入力部１２ｂとを有し、モニタ１２ａには後述のように動画から作製された静止画を含む生成画像１２ｃが表示される（図４Ａ参照）。
【００１９】
また携帯端末１２のモニタ１２ａには、後述のように生成画像のプリントコード１２ｄを表示することもできる（図４Ｂ参照）。
【００２０】
またプリントサーバ２０は、図１に示すように、外部との送受信を行う送受信部２１と、静止画および動画を含む画像データを記憶する記憶部２２と、記憶部２２内の画像データのうち動画から静止画の生成画像を作製して記憶部２２内に格納する画像生成部２３と、携帯端末１２の入力部１２ｂからの入力情報に基づいて記憶部２２内の生成画像１２ｃを携帯端末１２のモニタ１２ａに送る生成画像提供部２４とを有する。さらにプリントサーバ２０は、携帯端末１２の入力部１２ｂからの入力情報に基づいて、記憶部２２内の生成画像１２ｃからプリントすべき生成画像を選定するプリント選定部２５と、プリント選定部２５で選定された生成画像１２ｃのプリントコード１２ｄを携帯端末１２に送ってモニタ１２ａ上に表示するプリントコード提供部２６を更に有する。
【００２１】
図１に示すプリントサーバ２０のうち、記憶部２２はプリントサーバ２０が各種の処理を実行するために必要なプログラムやデータ等を記憶する機能をもち、例えば上述のように、ドライブレコーダ１１からの動画を含む画像データ、画像生成部２３で作製された静止画の生成画像、あるいは後述する画像解析サーバ３０で判定された上位の生成画像等が格納されている。
【００２２】
さらに画像生成部２３は、上述のように記憶部２２に格納された動画を用いて、静止画の生成画像を作製するものであり、画像生成部２３で作製された生成画像は記憶部２２へ送られて格納される。
【００２３】
またプリントサーバ２０には、記憶部２２内の画像生成部２３で生成された生成画像に関し、画像データの評価を行い、上位の生成画像を選別する画像解析サーバ３０が接続されている。
【００２４】
この画像解析サーバ３０は、風景等を撮影した動画から得られた静止画を含む生成画像について、各生成画像のピント、構図、天気、色合い、あるいは目立つ構造物等の基準を当てはめてスコアリングすることにより、上位の生成画像を選別するものである。画像解析サーバ３０により選別され上位の生成画像として判定されたものは、プリントサーバ２０内へ戻されて記憶部２２内に格納される。
【００２５】
次にこのような構成からなる本実施の形態の作用について図２により説明する。
【００２６】
まず図２に示すように、ドライブレコーダ１１により乗物内からみた風景等が撮影されて動画を含む画像データが入手される。
【００２７】
次にドライブレコーダ１１で入手された動画を含む画像データはプリントサーバ２０へユーザの識別ＩＤとともに送られる。そして動画を含む画像データは識別ＩＤとともに記憶部２２内に格納される。ここで、「識別ＩＤ」とは、ドライブレコーダのシリアル番号や携帯端末のデバイスＩＤ、車両番号（ナンバープレート）や他のＷＥＢサービスと連携した際に利用するユーザ名とパスワードを組み合わせたユーザ特有のＩＤ等をいう。
【００２８】
次にプリントサーバ２０の画像生成部２３は、記憶部２２に記憶された画像データのうち動画データを切り取って、静止画の生成画像１２ｃを作製する。
【００２９】
画像生成部２３において作製された静止画の生成画像は識別ＩＤとともに記憶部２２内に格納される。
【００３０】
次にプリントサーバ２０の画像生成部２３で生成され、記憶部２２内に格納された生成画像は、画像解析サーバ３０へ送られる。
【００３１】
画像解析サーバ３０は、風景等を撮影した動画から得られた各々の生成画像について、各生成画像のピント、構図、天気、色合い、あるいは目立つ構造物等の基準を当てはめてスコアリングすることにより、スコアが基準値以上となる上位の生成画像を絶景の画像として選別する。画像解析サーバ３０により選別された上位の生成画像はプリントサーバ２０内へ戻されて識別ＩＤとともに記憶部２２内に格納される。他方スコアが基準値未満の生成画像もプリントサーバ２０内へ戻されて、記憶部２２内の上位の生成画像とは別の部分に識別ＩＤとともに格納される。
【００３２】
次に画像解析サーバ３０によりスコアリングされ記憶部２２内に格納された上位の複数の生成画像１２ｃが携帯端末１２のモニタ１２ａに表示され、ユーザは携帯端末１２のモニタ１２ａに表示された生成画像１２ｃを確認することができる。
【００３３】
次にユーザが携帯端末１２の入力部１２ｂを操作して好みの生成画像を選択する。具体的にはユーザは携帯端末１２のモニタ１２ａに表示されている生成画像１２ｃを押圧する。このことにより携帯端末１２の入力部１２ｂが当該生成画像１２ｃを特定して、プリントサーバ２０側へ入力部１２ｂからの入力信号を送る。
【００３４】
次にプリントサーバ２０のプリント選定部２５が、記憶部２２に格納されている上位の生成画像の中からプリントすべき生成画像を選定する。
【００３５】
次にプリントサーバ２０のプリントコード提供部２６が、プリント選定部２５で選定された生成画像のＱＲコード（登録商標）等のプリントコードを作製し、このプリントコードを携帯端末１２に送信する。携帯端末１２の送信されたプリントコード１２ｄは、携帯端末１２のモニタ１２ａに表示される。
【００３６】
次にユーザは携帯端末１２のモニタ１２ａに表示されたプリントコード１２ｄを例えば証明写真ボックス等からなるプリンタ装置１３にかざす。このことによりプリンタ装置１３により所望の生成画像を含むプリント印刷物１３ａを作製することができる。
【００３７】
この場合、携帯端末１２のモニタ１２ａに表示されたプリントコード１２ｄは、所望の生成画像のコードＮｏ、プリント印刷の有効期限、プリント料金等の情報を含む。
【００３８】
この間、ドライブレコーダ１１の音声発生部１１ｂは、ドライブレコーダ１１による撮影中、「撮影しました。お近くに証明写真ボックスがありますので、経路案内を変更しますか？」等の音声ガイドを流すこともできる。ユーザはこの音声ガイドに沿って車を運転し、証明写真ボックス近くに車を止めて、上記操作を行って証明写真ボックスによりプリント印刷物１３ａを入手することができる。
【００３９】
以上のように本実施の形態によれば、ドライブレコーダにより入手した画像データからユーザが好む所望の静止画を確実に作製することができ、この生成画像をユーザに適宜提供することができる。
【００４０】
また、プリントサーバ２０の画像生成部２３により作製された生成画像に対して、更に画像解析サーバ３０において画像データの評価を行って上位の生成画像のみを判定し、この上位の生成画像を携帯端末１２のモニタ１２ａに表示する。このことにより、ユーザが選択すべき生成画像の範囲を限定することができ、さらにユーザによる生成画像の選定作業を容易かつ簡単に行うことができる。
【００４１】
なおこの画像解析サーバ３０による生成画像の判定作業は必須のものではなく、画像生成部２３により作製されたすべての生成画像を携帯端末１２のモニタ１２ａに表示して、ユーザがモニタ１２ａに表示された生成画像から好みの生成画像を選定してもよい。
【符号の説明】
【００４２】
１０  画像提供システム
１１  ドライブレコーダ
１１ａ  モニタ
１１ｂ  音声発生部
１２  携帯端末
１２ａ  モニタ
１２ｂ  入力部
１２ｃ  生成画像
１３  プリンタ装置
１３ａ  プリント印刷物
２０  プリントサーバ
２１  送受信部
２２  記憶部
２３  画像生成部
２４  生成画像提供部
２５  プリント選定部
２６  プリントコード提供部
３０  画像解析サーバ
【図１】
2020092392.tif 000003
【図２】
2020092392.tif 000004
【図３】
2020092392.tif 000005
【図４Ａ】
2020092392.tif 000006
【図４Ｂ】
2020092392.tif 000007